(57)【要約】【課題】  塩水選や揺動比重選別手段によることなく健全な種籾を得ることができる種籾選別装置を提供する。【解決手段】  種籾選別装置１は、種籾を投入して脱芒処理を施す脱芒部２と、脱芒した種籾を規定網目の選別網面８に摺接させて選別する選別部３とで構成される。脱芒部２は８角筒体４内に撹拌回転体５を備えている。選別部３は規定網目の選別網面８を有する円筒体９内に、その内面に接して回転する可撓性板２７からなる掻き上げ回転体１１を備えている。脱芒部２の撹拌回転体５と選別部３の掻き上げ回転体１１は１本の回転軸１２による一体回転構成である。【選択図】        図１
2007021281.tif 000002
【特許請求の範囲】
【請求項１】
種籾を投入して脱芒処理を施す脱芒部と、脱芒した種籾を規定網目の選別網面に摺接させて選別する選別部とで構成された種籾選別装置であって、
筒体内に撹拌回転体を備えた脱芒部と、規定網目の選別網面を有する選別筒体内にその内面に接して回転する可撓性板からなる掻き上げ回転体を備えた選別部とを、脱芒部の撹拌回転体と選別部の掻き上げ回転体を同一軸心の回転体とするユニット構成とし、
上記ユニット構成の脱芒部と選別部をその軸心方向と平行に複数基並設して成ることを特徴とする種籾選別装置。
【請求項２】
ユニット構成の脱芒部と選別部はその軸心方向と平行に２基並設して、各脱芒部の撹拌回転体と１基の駆動電動機を一連に連動する減速ベルト伝動機構を備えていることを特徴とする請求項１記載の種籾選別装置。
【請求項３】
選別部の選別筒体は、機体に固定して取り付けることを特徴とする請求項１または２記載の種籾選別装置。
【発明の詳細な説明】
【技術分野】
【０００１】
本発明は、種籾用として収穫し乾燥した種籾から不完全籾粒を排除して健全な種籾を得るための種籾選別装置に関するものである。
【背景技術】
【０００２】
種籾用として収穫し乾燥した種籾には、健全な種籾とともに不完全籾粒がかなりの比率で混ざっているので、健全な種籾を得るには不完全籾粒を選別して除去する必要がある。
【０００３】
従来、最も信頼性の高い種籾の選別手段として、一定濃度（比重：約１．１３）の塩水に種籾を浸して掻き混ぜ、浮き上がった籾粒を除去する塩水選が普及している（特開平８−１８７４６４号公報、特開平８−１８７４６５号公報または特開平８−１９２１０９号公報のいずれも段落「０００２」参照）。
【０００４】
種籾の塩水選は不完全籾粒を確実に排除できるところから、健全な種籾を得るうえでの選別面からみれば優れた選別手段ではある。しかしながら高濃度の塩水を用いなければならないので、近年はその廃水による環境汚染や環境破壊が問題視されているだけでなく、塩水に浸した種籾を水洗して乾燥しなければならないなど、作業面からみても多くの問題点が指摘されていた。
【０００５】
このように、広く行われている種籾の塩水選は、選別機能面で優れているとしても反面で多くの欠点もあるところから、前掲の特開平８−１８７４６４号公報、特開平８−１８７４６５号公報または特開平８−１９２１０９号公報においては、種籾の揺動による比重選別手段をそれぞれ紹介している。
【０００６】
なお、種籾の脱芒手段については、特開平５−２３６０１号公報、実願平３−６５５２４号（実開平５−９６４１号）のＣＤ−ＲＯＭ、特開昭６３−２０８号公報、特開昭５７−１２２７０３号公報または特開平８−１９３０５号公報にそれぞれ開示されている。
【特許文献１】特開平８−１８７４６４号公報
【特許文献２】特開平８−１８７４６５号公報
【特許文献３】特開平８−１９２１０９号公報
【特許文献４】特開平５−２３６０１号公報
【特許文献５】実願平３−６５５２４号（実開平５−９６４１号）のＣＤ−ＲＯＭ
【特許文献６】特開昭６３−２０８号公報
【特許文献７】特開昭５７−１２２７０３号公報
【特許文献８】特開平８−１９３０５号公報
【発明の開示】
【発明が解決しようとする課題】
【０００７】
ところで、前掲の特開平８−１８７４６４号公報、特開平８−１８７４６５号公報または特開平８−１９２１０９号公報において紹介している種籾の揺動による比重選別手段は、揺動により比重の小さい籾粒を比重の大きい籾粒の上層に浮上させ、下層の籾粒を健全な種籾として分離する選別作用によるところから、下層に沈む籾粒と上層に浮上する籾粒との分離性が不完全であって、塩水選に匹敵するような信頼性の高い種籾の選別は到底できないものであった。
【０００８】
そこで本発明は、果実が充実していて外形状の整っている籾粒が、発芽能、生育能、耐細菌性および耐黴性に特にすぐれるとの新たな知見に基づき、種籾に脱芒処理を施した後、脱芒した種籾を規定網目の選別網面に摺接させて網目を透過する籾粒を排除することにより、選別網面の網目を透過せずに残った籾粒を健全な種籾として選び出すことができ、塩水選や揺動比重選別手段によることなく健全な種籾を得ることができる種籾選別装置を提供することを目的とするものである。
【課題を解決するための手段】
【０００９】
上記目的を達成するための本発明の請求項１に係る種籾選別装置は、種籾を投入して脱芒処理を施す脱芒部と、脱芒した種籾を規定網目の選別網面に摺接させて選別する選別部とで構成された種籾選別装置であって、筒体内に撹拌回転体を備えた脱芒部と、規定網目の選別網面を有する選別筒体内にその内面に接して回転する可撓性板からなる掻き上げ回転体を備えた選別部とを、脱芒部の撹拌回転体と選別部の掻き上げ回転体を同一軸心の回転体とするユニット構成とし、上記ユニット構成の脱芒部と選別部をその軸心方向と平行に複数基並設して成ることを特徴とするものである。
【００１０】
本発明の請求項２に係る種籾選別装置は、請求項１記載の構成において、ユニット構成の脱芒部と選別部はその軸心方向と平行に２基並設して、各脱芒部の撹拌回転体と１基の駆動電動機を一連に連動する減速ベルト伝動機構を備えていることを特徴とするものである。
【００１１】
本発明の請求項３に係る種籾選別装置は、請求項１または２記載の構成において、選別部の選別筒体は、機体に固定して取り付けることを特徴とするものである。
【発明の効果】
【００１２】
本発明に係る種籾選別装置によれば、塩水選や揺動比重選別手段によることなく健全な種籾を得ることができる。
【発明を実施するための最良の形態】
【００１３】
図１は本発明による種籾選別装置の要部の分解斜視図、図２は同上平断面図、図３は同上一部を破断して示す斜視図、図４はホッパー部分の構成を示す断面図である。
【００１４】
本発明に係る種籾選別装置１は、種籾を投入して脱芒処理を施す脱芒部２と、脱芒した種籾を規定網目の選別網面に摺接させて選別する選別部３とで構成されている。脱芒部２は、多角形の筒体４内に、撹拌回転体５を備えており、図示の実施の形態では多角形の筒体４が８角筒体で構成されている。撹拌回転体５は円筒体６（８角筒体などの多角筒体であってもよい）の外周に多数の突起７を設けたものである。選別部３は、規定網目の選別網面８を有する円筒状の選別筒体９内に、その内面に接して回転する可撓性板１０からなる掻き上げ回転体１１を備えて構成されている。
【００１５】
上記脱芒部２の撹拌回転体５と選別部３の掻き上げ回転体１１は、１本の回転軸１２により一連に構成されていて、脱芒部２と選別部３は、脱芒部２撹拌回転体５と選別部３の掻き上げ回転体１１が、同一軸心の回転体とするユニット構成を成している。そして、上記ユニット構成の脱芒部２と選別部３を、その軸心方向と平行に２基並設して種籾選別装置１を構成している。１３は機体であり、各ユニット構成の脱芒部２と選別部３間は仕切板１４により区画されている。
【００１６】
脱芒部２の筒体４は機体１３に嵌め込まれて固定されており、選別部３の選別筒体９は、その一端に一体のフランジ１５を有していて、選別筒体９は機体１３に挿入してフランジ１５により機体１３に固定して取り付けられている。１本の回転軸１２により一連に構成されている撹拌回転体５と掻き上げ回転体１１は、上記フランジ１５に軸受１６により基端側が軸止されており、１本の回転軸１２の先端側を選別筒体９に挿入することにより装着される。各１本の回転軸１２の撹拌回転体５側にはプーリ１７が取り付けられており、これら各１本の回転軸１２のプーリ１７と１基の駆動電動機１８の出力プーリ１９間には、伝動ベルト２０が一連に懸架されている。プーリ１７は出力プーリ１９より大径であって、プーリ１７とプーリ１９の径比による減速ベルト伝動機構を構成している。なお、撹拌回転体５および掻き上げ回転体１１の回転数は３００〜５００ｒ．ｐ．ｍである。
【００１７】
各脱芒部２の始端側には種籾流入口２１、２１が開口しており、種籾を投入するホッパ２２は種籾流入口２１、２１に接続されている。ホッパ２２の底部には、上記種籾流入口２１、２１に対応する種籾流下口２３、２３間に山形案内部２４が設けられており、この山形案内部２４によりホッパ２２に投入された種籾が、山形案内部２４を埋めている量を保っていれば種籾流下口２３、２３に均等に振り分けられる。
【００１８】
選別部３の選別筒体９は、前記のようにフランジ１５により機体１３に固定して取り付けられので、選別筒体９の長さにある程度の誤差があっても、差し支えなく取り付けることができ（図２の各ユニット参照）、また交換も容易である。なお、上記誤差αは±２ｍｍ程度である。
【００１９】
脱芒部２の筒体４と選別部３の選別筒体９は、軸方向に連なるように配置さており、その仕切板１４の下部は連通口２５により連通しており、連通口２５には開度および開閉自在の手動によるシャッタ２６を備えている。
【００２０】
選別部３の撹拌回転体９は、１本の回転軸１２の選別筒体９に対応する部分に２枚の可撓性板１０、１０を装着して構成されているが、可撓性板１０はウレタンゴム板であって回転により選別筒体９の内面に摺接するものである。可撓性板１０は摩耗するので交換自在である。
【００２１】
選別部３の選別筒体９の終端側下部には選別された健全な種籾の送出樋２７を設けてある。２８は不完全籾の排出口である。２９は健全な種籾の受け部材、３０は不完全籾の受け部材である。
【００２２】
選別部３における選別筒体９の選別網面８は、周方向に細長の網目をなしており、その網目の目幅は２．０〜２．５ｍｍの範囲内で選定するが、２．１ｍｍまたは２．２ｍｍが好適である。
【００２３】
本発明に係る種籾選別装置１により種籾の選別をするには、ホッパ２２に種籾を投入するが、ホッパ２２に投入された種籾は脱芒部２の撹拌回転体５による撹拌に伴う筒体４との間の衝撃や摩擦作用によって脱芒され、脱芒された種籾は連通口２５から選別部３の選別筒体９内に移動する。そして、選別部３の選別筒体９内に移動した種籾は、掻き上げ回転体１１により選別筒体９の内面に摺接されるとともに投擲作用も加わるので、種籾に混在している不完全籾粒と塵埃は選別筒体９の選別網面８を透過して排除され、選別網面８を透過せずに残った籾粒が健全な種籾として送出樋２７から取り出される。
【００２４】
このように、本発明に係る種籾選別装置１によれば、選別部３の選別筒体９の選別網面８から透過しない籾粒を健全な種籾とするので、選別網面８の目幅を大きく設定するほど信頼性の高い健全種籾を選別することができるが、その反面不完全籾粒として排除される比率が高くなる。しかしながら、排除される籾粒も塩水選のように籾粒を濡らさないので、そのまま食用などの消費用として無駄なく利用することができる。そして、この場合にあっては、選別網面８の網目の目幅は２．５ｍｍを超えてさらに大きく選定してもよい。
【産業上の利用可能性】
【００２５】
本発明による種籾選別装置は、種籾に脱芒処理を施し、次いで脱芒した種籾を規定網目の選別網面に摺接させて網目を透過する籾粒を排除し、上記選別網面の網目を透過せずに残った籾粒を健全種籾とするものであるから、必ずしも種籾に限らず食用などの消費用籾の選別にも利用することができる。また、本発明による種籾選別装置は、玄米の粒選別に代わって貯蔵性に優れた籾の選別手段として今後の利用可能性の拡大が期待できる。
【図面の簡単な説明】
【００２６】
【図１】本発明による種籾選別装置の要部の分解斜視図である。
【図２】同上平断面図である。
【図３】同上一部を破断して示す斜視図である。
【図４】ホッパー部分の構成を示す断面図である。
【符号の説明】
【００２７】
１  種籾選別装置
２  脱芒部
３  選別部
４  筒体
５  撹拌回転体
６  円筒体
７  多数の突起
８  選別網面
９  選別筒体
１０  可撓性板
１１  掻き上げ回転体
１２  １本の回転軸
１３  機体
１４  仕切板
１５  フランジ
１６  軸受
１７  プーリ
１８  駆動電動機
１９  出力プーリ
２０  伝動ベルト
２１  種籾流入口
２２  ホッパ
２３  種籾流下口
２４  山形案内部
２５  連通口
２６  シャッタ
２７  健全な種籾の送出樋
２８  不完全籾の排出口
２９  健全な種籾の受け部材
３０  不完全籾の受け部材
【図１】
2007021281.tif 000003
【図２】
2007021281.tif 000004
【図３】
2007021281.tif 000005
【図４】
2007021281.tif 000006